(57)【要約】【課題】残り湯の取出作業を簡単に行えて、必要時以外に残り湯取出管から湯水が漏れ出すような不具合を防止できる浴槽用残り湯取出装置を提供する。【解決手段】本発明の浴槽用残り湯取出装置は、一端側が浴槽側に連通し、かつ他端側が給湯器側に連通する吐出管路Ａおよび吸込管路Ｂと、吸込管路Ｂの途中に設けられた残り湯取出管接続口２５とを備えさらに、吐出管路Ａおよび吸込管路Ｂ間を連通する合流管路Ｃと、合流管路Ｃに設けられ、吸込管路Ｂから吐出管路Ａへの湯水の流れを許容する第１逆止弁４と、吸込管路Ｂに設けられ、吸込方向の湯水の流れを許容する第２逆止弁５と、残り湯取出管接続口２５に設けられ、吸込管路Ｂから残り湯取出管９ｃへの湯水の流れを許容する第３逆止弁６とを備える。【選択図】図３
2016008753.tif 000002
【特許請求の範囲】
【請求項１】
一端側が浴槽内に開口する槽内吐出口に連通し、かつ他端側が給湯器の吐出口に連通する吐出管路と、一端側が浴槽内に開口する槽内吸込口に連通し、かつ他端側が給湯器の吸込口に連通する吸込管路と、前記吸込管路の途中に設けられた残り湯取出管接続口とを備え、前記残り湯取出管接続口に接続される残り湯取出管を介して浴槽内の湯水が浴槽外に取り出されるようにした浴槽用残り湯取出装置であって、
前記吸込管路における前記残り湯取出管接続口よりも他端側において、前記吐出管路および前記吸込管路間を連通する合流管路と、
前記合流管路に設けられ、前記吸込管路から前記吐出管路への湯水の流れを許容し、かつその逆方向の流れを制止する第１逆止弁と、
前記吸込管路における前記残り湯取出管接続口および前記合流管路間に設けられ、吸込方向の湯水の流れを許容し、かつその逆方向の流れを制止する第２逆止弁と、
前記残り湯取出管接続口に設けられ、前記吸込管路から残り湯取出管への湯水の流れを許容し、かつその逆方向の流れを制止する第３逆止弁とを備えたことを特徴とする浴槽用残り湯取出装置。
【請求項２】
前記第３逆止弁は、通常状態ではバネの付勢力によって弁本体が弁座に密着して閉弁状態に保持されるバネ式逆止弁によって構成されている請求項１に記載の浴槽用残り湯取出装置。
【請求項３】
前記第３逆止弁は、リング状弁座に対し弁本体が軸心方向に沿って接離移動することによって開閉されるように構成されるとともに、その開弁状態では前記弁座の開閉口を通過した湯水が前記弁本体および流路内周面間の環状流路を通過するよう構成され、
前記第３逆止弁が開弁した状態では、前記弁座の開閉口における開口面積と、前記環状流路の流路断面積とがほぼ等しくなるように調整されている請求項１または２に記載の浴槽用残り湯取出装置。
【請求項４】
前記第１逆止弁は、通常状態では少量開弁した状態に調整されている請求項１〜３のいずれか１項に記載の浴槽用残り湯取出装置。
【請求項５】
給湯器から吐出された湯水が往き管を通って循環金具の往き側接続口から導入されて浴槽内に吐出されるとともに、浴槽内の湯水が循環金具に吸い込まれて循環金具の戻り側接続口から流出されて戻り管を通って給湯器に吸い込まれるようにした浴槽用給湯システムにおける循環金具と、往き管および戻り管との間に組み付けられる浴槽用残り湯取出アダプタであって、
一端側が循環金具の往き側接続口に連通され、かつ他端側が往き管に連通される吐出管路と、
一端側が循環金具の戻り側接続口に連通され、かつ他端側が戻り管に連通される吸込管路と、
前記吸込管路の途中に設けられ、かつ浴槽内の残り湯を浴槽外に取り出すための残り湯取出管が接続される残り湯取出管接続口と、
前記吸込管路における前記残り湯取出管接続口よりも他端側において、前記吸込管路および前記吐出管路間を連通する合流管路と、
前記合流管路に設けられ、前記吸込管路から前記吐出管路への湯水の流れを許容し、かつその逆方向の流れを制止する第１逆止弁と、
前記吸込管路における前記残り湯取出管接続口および前記合流管路間に設けられ、吸込方向の湯水の流れを許容し、かつその逆方向の流れを制止する第２逆止弁と、
前記残り湯取出管接続口に設けられ、前記吸込管路から残り湯取出管への湯水の流れを許容し、かつその逆方向の流れを制止する第３逆止弁とを備えたことを特徴とする浴槽用残り湯取出アダプタ。
【発明の詳細な説明】
【技術分野】
【０００１】
本発明は、浴槽内に残った湯水を洗濯水等に利用する際に用いられる浴槽用残り湯取出装置および残り湯取出アダプタに関する。
【背景技術】
【０００２】
追い焚きができる循環式の浴槽用給湯システムにおいて、浴槽内に残った湯水（残り湯）の再利用をスムーズに行えるように、浴槽と、洗濯機が設置された洗面室等との間に残り湯取出管（お湯取り管）を設置しておき、その残り湯取出管を用いて浴槽内の残り湯を洗濯機まで送り出すようにした配管設備が周知である。
【０００３】
一方、循環式の浴槽用給湯システムにおいて、浴槽側壁に組み付けられる循環金具としては、吐出回路と吸込回路との２つの回路を有する２回路式のものが一般に用いられており、このような一般的な循環金具に適用可能な残り湯利用装置としては、例えば特許文献１に示すものが周知である。
【０００４】
この残り湯利用装置は、循環金具に設けられた往き管接続口および戻り管接続口が、往き管および戻り管を介して給湯器の吐出口および吸込口に接続される一方、往き管および戻り管のいずれかに、分岐管（残り湯取出管）が接続され、その残り湯取出管が洗濯機に接続される。そして追い焚き時には、給湯器から往き管を介して浴槽内に湯水を供給するとともに、浴槽内の湯水を戻り管を介して給湯器に戻す一方、残り湯取出時には、浴槽内の湯水（残り湯）を残り湯取出管を介して洗濯機に供給するようにしている。
【０００５】
また従来においては特許文献２に示すように、浴槽側壁に取り付けられる循環金具として、残り湯取出管が直接連結されるようにした３回路式のものも周知である。この３回路式の循環金具は、循環金具の前面（浴槽内側）に、吐出口および吸込口に加えて、残り湯を取り出すための残り湯吸込口が設けられている。さらに循環金具の後端部（浴槽外側）には、上記吐出口および吸込口に加えて、残り湯取出管接続口が設けられている。そして往き管接続口および戻り管接続口が、往き管および戻り管を介して給湯器の吐出口および吸引口にそれぞれ接続されるとともに、残り湯取出管接続口が残り湯取出管を介して洗濯機に接続されている。この循環金具において、残り湯取出時には、浴槽内の残り湯が残り湯吸込口から吸い込まれ、さらにその残り湯が残り湯取出管を通って洗濯機に供給されるようになっている。
【先行技術文献】
【特許文献】
【０００６】
【特許文献１】特開２０１２−４１７９０号公報
【特許文献２】特開２００３−１０２６３３号公報
【発明の概要】
【発明が解決しようとする課題】
【０００７】
上記特許文献１に示す従来の残り湯取出装置においては、残り湯取出管に湯水を供給するための切替弁として電磁弁が採用されている。しかしながら電磁弁は、施工時に電気工事が別途必要となり、施工作業が面倒であるという課題があった。
【０００８】
また仮に切替弁として、電磁弁を用いずに手動式の切替弁を用いる場合には、残り湯取出時には、手動による弁の切替操作を行う必要があり、この手動による流路切替操作が面倒であり、残り湯の取出作業を簡単に行うことができないという課題が発生する。
【０００９】
なお切替弁を設置せずに、残り湯取出管を往き管や戻り管にただ単に分岐させておくだけでは、湯はり時や追い焚き時に往き管や戻り管を流通する湯水が残り湯取出管に導入されて、その湯水が残り湯取出管を通って洗濯機内に漏れ出して汚染されてしまうことになる。
【００１０】
一方、特許文献２に示す３回路式の循環金具においては、通常時には、槽内に開口された残り湯吸込口を栓で塞いでおき、残り湯を取り出す場合のみ、栓を外して残り湯取出口を開放するようにしている。この残り湯取出口の開放操作は、面倒なことに手動で行う必要があるため、上記と同様、残り湯の取出作業を簡単に行うことができないという課題を抱えている。
【００１１】
この発明は、上記の課題に鑑みてなされたものであり、必要時以外に残り湯取出管から湯水が漏れ出すような不具合を防止しつつ、残り湯の取出作業を簡単に行える上さらに、施工作業も簡単に行うことができる浴槽用残り湯取出装置および残り湯取出アダプタを提供することを目的とする。
【課題を解決するための手段】
【００１２】
上記目的を達成するため、本発明は以下の構成を要旨とする。
【００１３】
［１］一端側が浴槽内に開口する槽内吐出口に連通し、かつ他端側が給湯器の吐出口に連通する吐出管路と、一端側が浴槽内に開口する槽内吸込口に連通し、かつ他端側が給湯器の吸込口に連通する吸込管路と、前記吸込管路の途中に設けられた残り湯取出管接続口とを備え、前記残り湯取出管接続口に接続される残り湯取出管を介して浴槽内の湯水が浴槽外に取り出されるようにした浴槽用残り湯取出装置であって、
前記吸込管路における前記残り湯取出管接続口よりも他端側において、前記吐出管路および前記吸込管路間を連通する合流管路と、
前記合流管路に設けられ、前記吸込管路から前記吐出管路への湯水の流れを許容し、かつその逆方向の流れを制止する第１逆止弁と、
前記吸込管路における前記残り湯取出管接続口および前記合流管路間に設けられ、吸込方向の湯水の流れを許容し、かつその逆方向の流れを制止する第２逆止弁と、
前記残り湯取出管接続口に設けられ、前記吸込管路から残り湯取出管への湯水の流れを許容し、かつその逆方向の流れを制止する第３逆止弁とを備えたことを特徴とする浴槽用残り湯取出装置。
【００１４】
［２］前記第３逆止弁は、通常状態ではバネの付勢力によって弁本体が弁座に密着して閉弁状態に保持されるバネ式逆止弁によって構成されている前項１に記載の浴槽用残り湯取出装置。
【００１５】
［３］前記第３逆止弁は、リング状弁座に対し弁本体が軸心方向に沿って接離移動することによって開閉されるように構成されるとともに、その開弁状態では前記弁座の開閉口を通過した湯水が前記弁本体および流路内周面間の環状流路を通過するよう構成され、
前記第３逆止弁が開弁した状態では、前記弁座の開閉口における開口面積と、前記環状流路の流路断面積とがほぼ等しくなるように調整されている前項１または２に記載の浴槽用残り湯取出装置。
【００１６】
［４］前記第１逆止弁は、通常状態では少量開弁した状態に調整されている前項１〜３のいずれか１項に記載の浴槽用残り湯取出装置。
【００１７】
［５］給湯器から吐出された湯水が往き管を通って循環金具の往き側接続口から導入されて浴槽内に吐出されるとともに、浴槽内の湯水が循環金具に吸い込まれて循環金具の戻り側接続口から流出されて戻り管を通って給湯器に吸い込まれるようにした浴槽用給湯システムにおける循環金具と、往き管および戻り管との間に組み付けられる浴槽用残り湯取出アダプタであって、
一端側が循環金具の往き側接続口に連通され、かつ他端側が往き管に連通される吐出管路と、
一端側が循環金具の戻り側接続口に連通され、かつ他端側が戻り管に連通される吸込管路と、
前記吸込管路の途中に設けられ、かつ浴槽内の残り湯を浴槽外に取り出すための残り湯取出管が接続される残り湯取出管接続口と、
前記吸込管路における前記残り湯取出管接続口よりも他端側において、前記吸込管路および前記吐出管路間を連通する合流管路と、
前記合流管路に設けられ、前記吸込管路から前記吐出管路への湯水の流れを許容し、かつその逆方向の流れを制止する第１逆止弁と、
前記吸込管路における前記残り湯取出管接続口および前記合流管路間に設けられ、吸込方向の湯水の流れを許容し、かつその逆方向の流れを制止する第２逆止弁と、
前記残り湯取出管接続口に設けられ、前記吸込管路から残り湯取出管への湯水の流れを許容し、かつその逆方向の流れを制止する第３逆止弁とを備えたことを特徴とする浴槽用残り湯取出アダプタ。
【発明の効果】
【００１８】
上記［１］の発明の浴槽用残り湯取出装置によれば、第１〜第３逆止弁は、水圧によって自動的に作動して流路を切り替えることができるため、残り湯を取り出す際には、例えば手動による流路切替操作等を行わずとも、残り湯取出管の端部から吸引するだけで浴槽内の残り湯を取り出すことができて、残り湯の取出作業を簡単に行うことができる。さらに本発明は、電磁弁を用いなくとも良いため、施工に際して面倒な電気工事も不要であり、施工作業を簡単に行うことができる。また本発明においては、湯はり時、追い焚き時等、残り湯取出時以外のときに、残り湯取出管接続口に設けられる第３逆止弁に対し、開弁方向に湯水による水圧が加わらないため、残り湯取出時以外のときに、残り湯取出管に湯水が流入することがなく、湯水が残り湯取出管から漏れ出すような不具合を確実に防止することができる。
【００１９】
上記［２］の発明の浴槽用残り湯取出装置によれば、残り湯取出時以外のときには、第３逆止弁が確実に閉じられているため、例えば追い焚き時に、残り湯取出管内のエアーが第３逆止弁を通って吸込管路内に流入することによって、湯水の吸込不良が生じる等の不具合を確実に防止することができる。
【００２０】
上記［３］の発明の浴槽用残り湯取出装置によれば、第３逆止弁における入口側流路断面積と出口側流路断面積とが等しくなるため、安定した弁動作を行えるとともに、残り湯を効率良く流通させることができる。
【００２１】
上記［４］の発明の浴槽用残り湯取出装置によれば、浴槽内の水位を検出する水位センサーが給湯器内の吸込口に対応して設置されている場合、浴槽内の水位が低下した際にその水位低下を上記の水位センサーによって精度良く確実に検出することができる。
【００２２】
上記［５］の発明の浴槽用残り湯取出アダプタによれば、既設の循環金具に組み付けるだけで簡単に、上記と同様の効果を奏する残り湯取出装置を得ることができる。
【図面の簡単な説明】
【００２３】
【図１】図１はこの発明の実施形態である残り湯取出アダプタが適用された浴槽用給湯システムを示すブロック図である。
【図２】図２は実施形態の給湯システムにおける残り湯取出アダプタ周辺を示す平面図である。
【図３】図３は図２の断面図である。
【図４】図４は図２の分解断面図である。
【図５】図５は実施形態の残り湯取出アダプタに採用された第１逆止弁を示す図であって、図（ａ）は断面図、図（ｂ）は弁座周辺を示す正面図である。
【図６】図６は実施形態の残り湯取出アダプタに採用された第２逆止弁を示す図であって、図（ａ）は断面図、図（ｂ）は弁座周辺を示す正面図である。
【図７】図７は実施形態の残り湯取出アダプタに採用された第３逆止弁を示す図であって、図（ａ）は閉弁状態での断面図、図（ｂ）は開弁状態での断面図、図（ｃ）は弁支持片周辺を示す正面図、図（ｄ）は図（ｃ）のＸ−Ｘ線断面図である。
【図８】図８は実施形態の給湯口アダプタ周辺を湯はり時の状態で示す概略断面図である。
【図９】図９は実施形態の給湯口アダプタ周辺を追い焚き時の状態で示す概略断面図である。
【図１０】図１０は実施形態の給湯口アダプタ周辺を残り湯取出時の状態で示す概略断面図である。
【発明を実施するための形態】
【００２４】
図１〜図４はこの発明の実施形態である残り湯取出アダプタＰが適用された浴槽用給湯システムを示す図である。
【００２５】
これらの図に示すように、本実施形態の浴槽用給湯システムは、浴槽Ｒ１の側壁に貫通状態に取り付けられる循環金具（循環アダプタ）Ｑと、循環金具Ｑに組み付けられる残り湯取出アダプタＰと、残り湯取出アダプタＰに往き管９ａおよび戻り管９ｂを介して接続される室外給湯器Ｒ３とを備えている。さらにこの給湯システムには、残り湯取出アダプタＰから洗濯機Ｒ２が設置される洗面室等にかけて残り湯取出管（お湯取り管）９ｃが敷設されている。そして後に詳述するように、湯はり時には、給湯器Ｒ３から往き管９ａおよび戻り管９ｂの双方に湯水が供給されて、その湯水が残り湯取出アダプタＰおよび循環金具Ｑを通って浴槽Ｒ１内に吐出される。さらに追い焚き時には、浴槽内の湯水が循環金具Ｑから吸い込まれ、その湯水が残り湯取出アダプタＰおよび戻り管９ｂを通って給湯器Ｒ３に戻されるとともに、給湯器Ｒ３から往き管９ａに湯水が供給されて、その湯水が残り湯取出アダプタＰおよび循環金具Ｑを通って浴槽内に吐出される。また残り湯取出時には、浴槽内の湯水が循環金具Ｑから吸い込まれ、その湯水が残り湯取出アダプタＰおよび残り湯取出管９ｃを通って洗面室等の洗濯機Ｒ２（残り湯取出箇所）に供給されるようになっている。
【００２６】
図３に示すように、循環金具Ｑは、アダプタ本体８１と、槽外取付具（ボディ）８２とを備え、浴槽Ｒ１の外壁面に沿って配置された槽外取付具８２に対し、アダプタ本体８１が浴槽内側から浴槽壁部を貫通してねじ込まれることによって、浴槽壁部に固定されている。
【００２７】
アダプタ本体８１には、浴槽内にそれぞれ開口する吐出口（槽内吐出口）８１ａおよび吸込口（槽内吸込口）８１ｂが形成されている。また槽外取付具８２には、両側方に向けて開口する往き側接続口８２ａおよび戻り側接続口８２ｂが形成されている。さらに循環金具Ｑ内には、往き側接続口８２ａおよび槽内吐出口８１ａとを連通する吐出流路８ａと、戻り側接続口８２ｂおよび槽内吸込口８１ｂとを連通する吸込流路８ｂとが形成されている。これにより、往き側接続口８２ａから循環金具Ｑ内に導入された湯水は、吐出流路８ａおよび槽内吐出口８１ａを通って浴槽内に吐出されるとともに、槽内吸込口８１ｂから循環金具Ｑ内に吸い込まれた浴槽内の湯水は、吸込流路８ｂおよび戻り側接続口８２ｂを通って槽外に送り出されるようになっている。
【００２８】
図２〜図４に示すように、残り湯取出アダプタＰは、第１〜第３管部材１〜３と、第１〜第３逆止弁４〜６とを備えている。なお本実施形態においては、発明の理解を容易にするため、図２〜図４に向かって左側を「一端側」と称し、右側を「他端側」と称する。
【００２９】
第１管部材１は、主管部１０と、その主管部１０の一端に形成され、かつ主管部１０の管軸に対し直交する内側方向に向けて開口する一端側開口部１１と、主管部１０の他端に形成され、かつ他端方向に向けて開口する他端側開口部１５と、主管部１０の中間に形成され、かつ主管部１０の管軸に対し直交する内側方向に向けて延び同方向に開口する接続管部１３とを備えている。
【００３０】
第２管部材２は、主管部２０と、その主管部２０の一端に形成され、かつ主管部２０の管軸に対し直交する内側方向に向けて開口する一端側開口部２１と、主管部２０の他端に形成され、かつ他端方向に向けて開口する他端側開口部２５と、主管部２０の中間に形成され、かつ主管部２０の管軸に対し直交する内側方向に向けて延び同方向に開口する接続管部２３とを備えている。
【００３１】
第３管部材３は、主管部３０と、主管部３０の一端に形成され、かつ主管部３０の管軸に対し直交する外側方向（第１管部材１側の方向）に向けて延び同方向に開口する第１接続管部３１と、主管部３０の一端に形成され、かつ主管部３０の管軸に対し直交する外側方向（第２管部材２側の方向）に向けて延び同方向に開口する第２接続管部３２と、主管部３０の他端に形成され、かつ他端方向に向けて開口する他端側開口部３５とを備えている。
【００３２】
第１管部材１の接続管部１３が第１逆止弁４を介して第３管部材３の第１接続管部３１に水密状態に外嵌されて連結されるとともに、第１管部材１の一端側開口部１１が循環金具Ｑの往き側接続口８２ａに水密状態に挿入されて連結される。
【００３３】
さらに第２管部材２の接続管部２３が第２逆止弁５を介して第３管部材の第２接続管部３２に水密状態に外嵌されて連結されるとともに、第２管部材２の一端側開口部２１が循環金具Ｑの戻り側接続口８２ｂに水密状態に挿入されて連結される。
【００３４】
さらに後述するように第２管部材２の他端側開口部２５内には、第３逆止弁６が適合状態に収容される。
【００３５】
これにより残り湯取出アダプタＰが組み立てられると同時に、その残り湯取出アダプタＰが循環金具Ｑに組み付けられて固定される。
【００３６】
なお本実施形態においては、循環金具Ｑの往き側接続口８２ａと、戻り側接続口８２ｂと、残り湯取出アダプタＰにおける第１管部材１の一端側開口部１１と、第２管部材２の一端側開口部２１との各軸心は一致している。さらに第１および第２管部材１，２は、循環金具Ｑに対し、軸心回りに回転自在に連結されている。これにより本実施形態においては、残り湯取出アダプタＰを循環金具Ｑに対し、直線上に配置した状態（図２参照）と、直角に配置した状態（図示省略）との間で回転操作自在に構成されている。
【００３７】
ここで本実施形態においては図３に示すように、第１管部材１の主管部１０が吐出管路Ａとして構成されている。さらに第２管部材２における一端側開口部２１から、主管部２０の一端側半部、接続管部２３、第３管部材３の第２接続管部３２および主管部３０にかけての部分が吸込管路Ｂとして構成されている。さらに第１管部材１の接続管部１３と第３管部材３の第２接続管部３１とが合流管路Ｃとして構成されている。
【００３８】
また本実施形態においては、第１管部材１の一端側開口部１１が吐出管路Ａの一端側として構成されるとともに、第１管部材１の他端側開口部１５が吐出管路Ａの他端側として構成されている。また第２管部材２の一端側開口部２１が吸込管路Ｂの一端側として構成されるとともに、第３管部材３の他端側開口部３５が吸込管路Ｂの他端側として構成されている。さらに第２管部材２の他端側開口部２５が残り湯取出管接続口として構成されている。
【００３９】
従って本実施形態においては、吸込管路Ｂにおける残り湯取出管接続口２５よりも他端側（給湯器側）において吐出管路Ａおよび吸込管路Ｂ間を連通するように合流管路Ｃが形成されるとともに、その合流管路Ｃ内に第１逆止弁４が配置されている。さらに詳細には、第１逆止弁４は、合流管路Ｃ内における吐出管路Ａとの接続部近傍に配置されている。
【００４０】
また吸込管路Ｂにおける残り湯取出管接続口２５および合流管路Ｃ間に第２逆止弁５が配置されている。さらに詳細には、第２逆止弁５は、吸込管路Ｂ内において、残り湯取出管接続口２５よりも他端側（給湯器側）に配置され、かつ合流管路Ｃとの接続部よりも一端側（浴槽側）に配置されている。
【００４１】
また残り湯取出管接続口２５の周辺には、第３逆止弁６が配置されることとなる。換言すると、第３逆止弁６は、残り湯接続管９ｃが連結される残り湯取出管接続口２５を開閉できる態様に配置されている。
【００４２】
第１逆止弁４は、第３管部材３から第１管部材１側への湯水の流れを許容し、かつその逆方向の湯水の流れを制止する逆止弁、すなわち、吸込管路Ｂから吐出管路Ａへの湯水の流れを許容し、かつその逆方向の流れを制止する逆止弁によって構成されている。
【００４３】
図４および図５に示すようにこの第１逆止弁４は、第３管部材３における第１接続管部３１の開口周縁部によって構成される弁座４２と、一端が弁座４２に揺動自在に固定された弁本体４３とを備え、弁本体４３が揺動して弁座４２に着脱することによって、弁座４２の開口部（開閉口）が開閉されるスウィング式の逆止弁によって構成されている。言うまでもなくこの第１逆止弁４は、水圧を操作動力源として作動する自力式の弁である。
【００４４】
またこの第１逆止弁４における弁座４２には、内径方向に突出し、かつ周方向に等間隔おきに配置される複数のリブ４４が形成されている。これにより閉弁方向（逆流方向）に水圧が加わった際に、弁本体４３が弁座４２と共にリブ４４によっても支持されるため、弁本体４３が閉弁状態に確実に保持されるようになっている。
【００４５】
なお本実施形態において、第１逆止弁４は、図５（ａ）の実線に示す通常状態では、弁本体４３が弁座４２から少し浮き上がって僅かに開弁した状態となっており、後述するように浴槽内の水位の検出を正確に行えるようになっている。また言うまでもなく、第１逆止弁４は逆流方向の水圧が加わった際には確実に閉弁するようになっている。
【００４６】
第２逆止弁５は、第２管部材２から第３管部材３側への湯水の流れを許容し、かつその逆方向の湯水の流れを制止する逆止弁、すなわち、吸込管路Ｂの吸込方向の湯水の流れを許容し、かつその逆方向の流れを制止する逆止弁によって構成されている。
【００４７】
図４および図６に示すようにこの第２逆止弁５は、第２管部材２の接続管部２３内に適合状態に収容される外筒体５１と、外筒体５１における第３管部材３側の端面に設けられた弁座５２と、一端が弁座５２に揺動自在に固定された弁本体５３とを備え、弁本体５３が揺動して弁座５２に着脱することによって、弁座５３の開口部（開閉口）が開閉されるスウィング式の逆止弁によって構成されている。言うまでもなくこの第２逆止弁５も、上記第１逆止弁４と同様、水圧を操作動力源として作動する自力式の弁である。
【００４８】
またこの第２逆止弁５においても、上記第１逆止弁４と同様、弁座５２に内径方向に突出し、かつ周方向に等間隔おきに配置される複数のリブ５４が形成されている。これにより閉弁方向（逆流方向）に水圧が加わった際に、弁本体５３が弁座５２と共にリブ５４によっても支持されるため、弁本体５３が閉弁状態に確実に保持されるようになっている。
【００４９】
第３逆止弁６は、第２管部材２から他端側開口部（残り湯取出管接続口）２５を介して湯水が流出するのを許容し、かつ残り湯取出管接続口２５から第２管部材２への流入を制止する逆止弁、すなわち吸込管路Ｂから後述の残り湯取出管９ｃへの湯水の流れを許容し、かつその逆方向の流れを制止する逆止弁によって構成されている。
【００５０】
図４および図７に示すようにこの第３逆止弁６は、第２管部材２における残り湯取出管接続口２５内に適合状態に収容される外筒体６１を備えている。外筒体６１内における一端側（浴槽側）端部には、弁座６２が形成されるとともに、その弁座６２の他端側（洗濯機側）の面である弁座面が略テーパー状に形成されている。
【００５１】
また外筒体６１の他端側（洗濯機側）の端部には、その周方向の一部から内径方向に沿って軸心位置まで延びる弁軸支持片６５が形成されている。さらに外筒体６１の内部には、弁本体６３が収容されるとともに、この弁本体６３には軸心方向に沿って延びる弁軸６４が形成されている。この弁軸６４が弁軸支持片６５の先端部にスライド自在に貫通されることにより、弁本体６３が軸心方向にスライド自在に支持されている。これにより図７（ａ）に示すように弁本体６３が一端側にスライド移動した際には、弁本体６３が弁座６２に密着して閉弁状態となり、図７（ｂ）に示すように弁本体６３が他端側にスライド移動した際には、弁本体６３が弁座６２から離間して弁座６２の開口部（開閉口）が開放されて開弁状態となる。
【００５２】
さらに弁本体６３と弁軸支持片６５との間には弁軸６４に外嵌するようにして圧縮コイルバネ６６が介在されている。これにより通常状態において弁本体６３は、バネ６６の付勢力によって弁座６３に押し付けられた状態に保持されている。
【００５３】
この構成においては、図７（ｂ）に示すように第２管部材２内の湯水の水圧によって、弁本体６３がバネ６６の付勢力に抗して他端側に移動して開弁状態となった際には、弁座６２の開閉口６７を通った湯水が、外筒体６１の内周面（流路内周面）と弁本体６３との間の環状流路６８を通って他端側に流動するようになっている。また湯水が逆流しようとした際には、水圧およびバネ６６の付勢力によって弁本体６３が弁座６２に密着することによって閉弁状態となり、湯水の逆流が制止されるようになっている。言うまでもなくこの第３逆止弁６も、上記第１および第２逆止弁４，５と同様、水圧を操作動力源として作動する自力式の弁である。
【００５４】
ここで本実施形態では、第３逆止弁６が開弁した状態において、弁座６２の開閉口６７の開口面積と、弁本体６３外周の環状流路６８の流路断面積とが等しくなるように調整されている。つまり、第３逆止弁６に対し流入する湯水の流量と、流出する湯水の流量とが等しくなるように調整されている。
【００５５】
また図７（ｄ）に示すように本実施形態において、弁軸支持片６５における環状流路６８に対応する部分は、湯水の流れを許容する方向（正方向）に対し、上流側が先鋭な矢尻状の断面に形成されている。このため第３逆止弁６を湯水が流通する際に、その湯水に混入した毛髪等のゴミが、弁軸支持片６５に引っ掛かるようなことがなく、目詰まり等の不具合の発生を有効に防止することができる。
【００５６】
以上のように構成された残り湯取出アダプタＰにおいて、図１および図３に示すように第１管部材１の他端側開口部（吐出管路Ａの他端側）１５に往き管９ａの一端側が連結されるとともに、その往き管９ａの他端側が給湯器Ｒ３の吐出口（出湯口）に連結される。さらに第３管部材３の他端側開口部（吸込管路Ｂの他端側）３５に戻り管９ｂの一端側が連結されるとともに、その戻り管９ｂの他端側が給湯器Ｒ３の吸込口（吸引口）に連結される。さらに残り湯取出管９ｃの一端側が第２管部材２の他端側開口部（残り湯取出管接続口）２５に連結され、この残り湯取出管接続口２５が残り湯取出管９ｃを介して洗濯機Ｒ２に連通接続される。
【００５７】
以上の構成の浴槽用給湯システムにおいて、浴槽Ｒ１にお湯を溜める湯はり処理を行う場合には、給湯器Ｒ３の吐出口および吸込口から往き管９ａおよび戻り管９ｂの双方に湯水が供給される、いわゆるダブル搬送によって行われる。このダブル搬送においては水圧によって図８に示すように第１逆止弁４が開弁状態となり、第２および第３逆止弁５，６が閉弁状態となり、同図の矢符号に示すような湯水の流れが形成される。すなわち図４および図８に示すように往き管９ａに導入された湯水は、残り湯取出アダプタＰの第１管部材１における他端側開口部（吐出管路Ａの他端側）１５から主管部１０（吐出管路Ａ）に導入される。主管部１０に導入された湯水は、残り湯取出アダプタＰの一端側開口部１１、循環金具Ｑの往き側接続口８２ａを通って吐出流路８ａに導入されて、槽内吐出口８１ａを介して浴槽Ｒ１内に供給される。一方、給湯器Ｒ３から戻り管９ｂに導入された湯水は、残り湯取出アダプタＰの第３管部材３における主管部３０の他端側開口部（吸込管路Ｂの他端側）３５から主管部３０（吸込管路Ｂ）に導入される。主管部３０に導入された湯水は、第１接続管部３１、第１逆止弁４、第１管部材１の接続管部１３（合流管路Ｃ）を通って、第１管部材１の主管部１０（吐出管路Ａ）に導入されて、吐出管路Ａ内の湯水と合流する。こうして合流した湯水は、既述した通り主管部１０（吐出管路Ａ）、一端側開口部１１、循環金具Ｑの往き側接続口８２ａを通って吐出流路８ａに導入されて、槽内吐出口８１ａを介して浴槽Ｒ１内に供給される。
【００５８】
浴槽Ｒ１内の湯水を再加熱する追い焚き処理を行う場合には、給湯器Ｒ３の吐出口から往き管９ａ内に高温の湯水が導入されるとともに、給湯器Ｒ３の吸込口から戻り管９ｂ内が吸引される。この追い焚き時には水圧によって図９に示すように第２逆止弁５が開弁状態となり、第１および第３逆止弁４，６が閉弁状態となり、同図の矢符号に示すような湯水の流れが形成される。すなわち図４および図９に示すように往き管９ａに導入された湯水は、残り湯取出アダプタＰの第１管部材１における他端側開口部（吐出管路Ａの他端側）１５から主管部１０（吐出管路Ａ）に導入される。主管部１０に導入された湯水は、残り湯取出アダプタＰの一端側開口部１１、循環金具Ｑの往き側接続口８２ａを通って吐出流路８ａに導入されて、槽内吐出口８１ａを介して浴槽Ｒ１内に供給される。一方、給湯器Ｒ３の吸引作用によって、浴槽Ｒ１内の湯水が循環金具Ｑの槽内吸込口８１ｂから吸込流路８ｂ内に吸い込まれて、戻り側接続口８２ｂ、残り湯取出アダプタＰの第２管部材２の一端側開口部２１（吸込管路Ｂの一端側）を通って主管部２０内に吸い込まれる。主管部２０に吸い込まれた湯水は、接続管部２３、第２逆止弁５を通って、第３管部材３の第２接続管部３２に吸い込まれる。第２接続管部３２に吸い込まれた湯水は、主管部３０、他端側開口部３５を通って戻り管９ｂに吸い込まれて、給湯器Ｒ３に戻る。こうして浴槽Ｒ１および給湯器Ｒ３間を湯水が循環するようになっている。
【００５９】
浴槽内の残り湯（湯水）を洗濯水として再利用する残り湯取出処理（お湯取り処理）を行う場合には、給湯器Ｒ３は停止したままの状態で、洗濯機Ｒ２に備えられた吸引ポンプの吸引作用によって残り湯取出管９ｃ内が負圧に設定される。これにより図１０に示すように第３逆止弁６が開弁状態となり、第１および第２逆止弁４，５が閉弁状態となり、同図の矢符号に示すような湯水の流れが形成される。すなわち図４および図１０に示すように浴槽Ｒ１内の湯水（残り湯）が循環金具Ｑの槽内吸込口８１ｂから吸込流路８ｂ内に吸い込まれて、戻り側接続口８２ｂ、残り湯取出アダプタＰの第２管部材２の一端側開口部２１（吸込管路Ｂの一端側）を通って主管部２０内に吸い込まれる。主管部２０に吸い込まれた湯水は、第２管部材２の他端側開口部（残り湯取出管接続口）２５、第３逆止弁６を通って残り湯取出管９ｃ内に吸い込まれ、残り湯取出管９ｃを通って洗濯機Ｒ２に供給（吸引）される。
【００６０】
以上のように本実施形態の浴槽用給湯システムによれば、水圧によって作動する自力式の逆止弁である第１〜第３逆止弁４〜６によって、湯はり時、追い焚き時、残り湯取出時の流路を切り替えるようにしているため、例えば残り湯を取り出す際には、手動による流路切換操作等の面倒な操作を行わずとも、洗濯機Ｒ２の吸引ポンプを作動させるだけで簡単に、浴槽内の残り湯を残り湯取出管９ｃを介して洗濯機Ｒ２に取り込むことができる。
【００６１】
さらに流路切替用に水圧作動式の逆止弁４〜６を用いているため、電磁弁を採用する場合と比較して、施工に際して面倒な電気工事が不要であり、施工作業を簡単に行うことができる。さらに本実施形態においては、電磁弁を設置しなくとも良い分、小型化を図ることができるとともに、設置スペースが小さくとも確実に施工することができる。
【００６２】
また湯はり処理や追い焚き処理等、残り湯取出処理以外の時に、残り湯取出管接続口２５の第３逆止弁６に対し、開弁方向に湯水による水圧が加わることがない。例えば図８に示す湯はり時には、第３逆止弁６が配置される第２管部材２の主管部２０を湯水が通過せず、第３逆止弁６に開弁方向に水圧が加わることがない。さらに図９に示す追い焚き時には、第２管部材２の主管部２０は負圧となり、第３逆止弁６に開弁方向の水圧が加わることもない。このため、残り湯取出処理以外の時には、第３逆止弁６が確実に閉弁状態に維持される。従って、残り湯取出時以外に、残り湯取出アダプタＰから残り湯取出管９ｃに湯水が流入することがなく、湯水が洗濯機Ｒ２等に漏れ出すような不具合を確実に防止することができる。
【００６３】
また本実施形態の残り湯取出アダプタＰにおいては、吐出管路Ａおよび吸込管路Ｂ間の合流管路Ｃに設けられた第１逆止弁４を、通常状態では少量開弁した状態に設定しているため、フルオートタイプの給湯器を採用している場合、特に有益である。すなわち給湯器Ｒ３として、水位低下時に自動的に足し湯（差し湯）する機能を備えたフルオートタイプの給湯器を採用している場合、水位センサーは通常、給湯器Ｒ３内の吸込口（吸込流路）に対応して設置される。この場合仮に残り湯取出アダプタＰの第１管部材１および第３管部材３間の第１逆止弁４が全閉されていると、浴槽内の水位が低下ししても、第３管部材３内、ひいては給湯器Ｒ３の吸込口の水圧が低下せず、上記水位センサーによって浴槽内の水位低下を検出できないことがある。そうすると、浴槽内の水位が実際に低下しても、足し湯されなくなってしまう。
【００６４】
そこで本実施形態においては、残り湯取出アダプタＰの第１管部材１および第３管部材３間の第１逆止弁４が通常状態で少量開いているため、浴槽内の水位が低下した際に、その水位低下を、給湯器内の上記水位センサーによって直ちに検出でき、水位低下時に確実に足し湯することができる。
【００６５】
なお言うまでもなく、第１逆止弁４は追い焚き時等に逆流方向に水圧が加わった場合には、水圧によって全閉されるため、そのような逆流を確実に防止することができる。
【００６６】
また本実施形態の残り湯取出アダプタＰにおいては、第２管部材２の残り湯取出管接続口２５に設けられる第３逆止弁６として、バネ式逆止弁によって構成しているため、通常状態では、バネ６６の付勢力によって弁本体６３を弁座６２に密着させることにより、全閉状態に確実に維持されている。このため追い焚き時等において、以下に詳述するように湯水を確実に循環させることができ、エラーの発生を確実に防止することができる。
【００６７】
すなわち仮に、第３逆止弁６が通常状態で少量開いている場合、残り湯取出管９ｃが湯水が満たされていない空の状態で、追い焚き処理を行って給湯器Ｒ３の吸込口から戻り管９ｂを介して湯水を吸引すると、残り湯取出管９ｃ内のエアーが第３逆止弁６を通って、残り湯取出アダプタＰの吸込管路Ｂに吸引されて戻り管９ｂに吸引されてしまう。そうすると、浴槽内の湯水を十分に吸引できず、吸込流量（循環量）不足となり、給湯器Ｒ３にエラーが発生してしまう。
【００６８】
そこで本実施形態においては、第３逆止弁６としてバネ式逆止弁を用いて、通常状態では全閉状態に維持されるようにしているため、追い焚き時に残り湯取出管９ｃ内のエアーが残り湯取出アダプタＰの吸込管路Ｂに吸引されることはなく、浴槽内の湯水を、循環金具Ｑの吸込流路８ａ、残り湯取出アダプタＰの吸込管路Ｂおよび戻り管９ｂを介して給湯器Ｒ３内に確実に吸引することができる。従って、湯水の循環を確実に行うことができ、給湯器Ｒ３に吸込不良によるエラーが発生するような不具合を確実に防止することができる。
【００６９】
また図７（ｂ）に示すように本実施形態の残り湯取出アダプタＰでは、第３逆止弁６における弁座６２の開閉口６７の開口面積（入口側流路断面積）と、開弁状態の弁本体６３および外筒体６１間の環状流路６８の流路断面積（出口側流路断面積）とをほぼ等しくなるように調整しているため、弁本体６３を正確に作動できて、残り湯を残り湯取出管９ｃに効率良くスムーズに吸引することができる。すなわち、洗濯機Ｒ２等に備えられる吸引ポンプは一般的に吸引力が小さいため、第３逆止弁６の出口側流路断面積が入口側流路断面積に対し極端に大きい場合には、吸引時に弁本体６３に十分な吸引力を作用させることができず、弁本体６３を開くことができないおそれがあり、好ましくない。そればかりか、入口側流路断面積が小さいため、残り湯の流量を十分に確保できなくなってしまい、好ましくない。また第３逆止弁６の出口側流路断面積が極端に小さい場合には、残り湯の流量を十分に確保できず、好ましくない。従って既述した通り、第３逆止弁６の出口側流路断面積と入口側流路断面積とはほぼ等しく調整するのが好ましい。
【００７０】
また本実施形態の残り湯取出アダプタＰにおいて、第３逆止弁６の弁本体６３の弁軸６４を、外筒体６１の周方向の一点から内径方向に延びる１本の弁軸支持片６５によって支持するようにしているため、残り湯取出時に湯水に混入する毛髪等のゴミが、弁軸支持片６５に引っ掛かるのを有効に防止することができる。このためゴミが弁軸支持片６５に引っ掛かって第３逆止弁６に目詰まりが生じるのを防止でき、目詰まりによる閉弁不良が発生するのを防止することができ、長期間安定した弁動作を維持することができる。
【００７１】
その上さらに図７（ｄ）に示すように本実施形態の第３逆止弁６では、弁軸支持片６５における環状流路６８に対応する部分の断面形状が、上流側が先鋭な矢尻状に形成しているため、この点においても、弁軸支持片６５にゴミが引っ掛かるのを防止でき、目詰まりによる閉弁不良等が発生するのをより一層確実に防止することができる。
【００７２】
また本実施形態の残り湯取出アダプタＰにおいて、第１および第２逆止弁４，５における弁座４２，５２には、内径方向に突出する複数のリブ４４，５４を形成して、閉弁方向（逆流方向）の水圧が加わった際に、弁本体４３，５３が弁座４２，５２と共にリブ４４，５４によっても支持されるようにしているため、弁本体４３，５３が閉弁状態に確実に保持される。このため、逆流方向に多大な水圧が発生してとしても、弁本体４３，５３が不用意に撓んで水漏れが生じるような不具合を確実に防止することができる。さらにリブ４４，５４は、先端がフリーな片持ち構造であるため、リブ４４，５４に毛髪等のゴミが引っ掛かり難くなっている。従ってこの点においても、目詰まりによる閉弁不良等が発生するのを防止することができ、長期間安定した弁動作を維持することができる。
【００７３】
なお、上記実施形態においては、浴槽内の残り湯を洗濯水として利用する場合を例に挙げて説明したが、それだけに限られず、本発明においては、残り湯を洗濯水以外の水として利用するようにしても良い。例えば浴槽内の残り湯を、水撒き用の水、水拭き用の水、トイレ洗浄用の水、植物への水遣り用の水等として理由するようにしても良い。
【００７４】
また上記実施形態においては、本発明の残り湯取出アダプタＰを循環金具Ｑに組み付けるように構成しているが、それだけに限られず、残り湯取出アダプタが循環金具に一体に組み込まれたもの、例えば本発明の残り湯取出装置の機能が組み込まれた循環金具を採用するようにしても良い。
【００７５】
また上記実施形態においては、湯はり時に往き管および戻り管の双方で湯水を浴槽に供給するようにしたダブル搬送式の給湯器に、本発明の残り湯取出装置を適用した場合を例に挙げて説明したが、それだけに限られず、本発明は、湯はり時に往き管だけで湯水を浴槽に供給するようにしたシングル搬送式の給湯器に適用するようにしても良い。
【００７６】
また本発明において、循環金具は、必ずしも金属製品によって構成する必要はなく、一部または全部がプラスチックの成形品によって構成するようにしても良い。
【産業上の利用可能性】
【００７７】
この発明の浴槽用残り湯取出装置は、浴槽内の残り湯を洗濯水等として利用する際の残り湯利用設備に適用することができる。
【符号の説明】
【００７８】
１１：一端側開口部（吐出管路の一端側）
１５：他端側開口部（吐出管路の他端側）
２１：一端側開口部（吸込管路の一端側）
２５：他端側開口部（残り湯取出接続口）
３５：他端側開口部（吸込管路の他端側）
４：第１逆止弁
５：第２逆止弁
６：第３逆止弁
６２：弁座
６３：弁本体
６６：バネ
６７：開閉口
６８：環状流路
８１ａ：槽内吐出口
８１ｂ：槽内吸込口
８２ａ：往き側接続口
８２ｂ：戻り側接続口
９ａ：往き管
９ｂ：戻り管
９ｃ：残り湯取出管
Ａ：吐出管路
Ｂ：吸込管路
Ｃ：合流管路
Ｐ：残り湯取出アダプタ
Ｑ：循環金具
Ｒ１：浴槽
Ｒ２：洗濯機（残り湯取出部）
Ｒ３：給湯器
【図１】
2016008753.tif 000003
【図２】
2016008753.tif 000004
【図３】
2016008753.tif 000005
【図４】
2016008753.tif 000006
【図５】
2016008753.tif 000007
【図６】
2016008753.tif 000008
【図７】
2016008753.tif 000009
【図８】
2016008753.tif 000010
【図９】
2016008753.tif 000011
【図１０】
2016008753.tif 000012